(57)【要約】【課題】マルチトラックレコーダにおいて、あるトラックがモノラルであるかステレオであるかをレベルメータで容易に識別可能とする。【解決手段】複数のトラック１−４のうち、トラック３，４をモノラルとステレオのいずれかのトラックタイプに設定可能なマルチトラックレコーダ。トラックタイプをメモリに記憶し、表示部２４にレベルメータを表示する際に、モノラルとステレオで、トラック番号表示２４ｔ１〜２４ｔ４の幅と、レベル表示２４ｂ１〜２４ｂ４の本数を変化させる。【選択図】図６
2014041680.tif 000002
【特許請求の範囲】
【請求項１】
複数のトラックに音声信号を記録するマルチトラックレコーダであって、
複数のトラックの少なくともいずれかのトラックを、モノラルとステレオのいずれかのトラックタイプに設定可能な設定手段と、
前記設定手段で設定されたトラックタイプを記憶する記憶手段と、
複数のトラックの各トラックを特定するシンボルと、各トラックの音声信号レベルを表示する表示手段と、
前記記憶手段に記憶された前記トラックタイプに応じ、前記表示手段に表示されるシンボルと音声信号レベルの表示形態をモノラルとステレオで変化させる制御手段と、
を備えることを特徴とするマルチトラックレコーダ。
【請求項２】
請求項１記載のマルチトラックレコーダにおいて、
前記制御手段は、トラックタイプがステレオのトラックにおいて、前記音声信号レベルを２本表示するとともに、前記シンボルとして前記２本の音声信号レベルに共通するシンボルを表示することを特徴とするマルチトラックレコーダ。
【請求項３】
請求項１，２のいずれかに記載のマルチトラックレコーダにおいて、
前記制御手段は、トラックタイプがモノラルのトラックにおいて、前記シンボルの幅をｄｍとするとともに前記音声信号レベルを１本表示し、トラックタイプがステレオのトラックにおいて、前記シンボルの幅をｄｓ（但し、ｄｍ＜ｄｓ）とするとともに前記音声信号レベルを２本表示することを特徴とするマルチトラックレコーダ。
【発明の詳細な説明】
【技術分野】
【０００１】
本発明は、複数のトラックに音声信号を記録するマルチトラックレコーダに関する。
【背景技術】
【０００２】
従来から、複数のトラックに音声信号を記録するマルチトラックレコーダが知られている。マルチトラックレコーダを用いることで、例えばエレキギターを使ってリズムギターパートをトラック１、リードギターパートをトラック２に記録し、内蔵マイクを使ってボーカル音声をトラック３に記録し、これらをミックスダウンしてステレオ信号を生成して記録する等が可能である。
【０００３】
マルチトラックレコーダとしては、できるだけ多くのトラックを備えて音声信号を記録できることが望ましい一方、携帯性を考慮して装置をコンパクト化する場合にはトラック数を限定せざるを得ない状況も生じる。このような場合、トラック数はある一定数、例えば４トラックに限定するとともに、そのうちのいくつかのトラックをモノラルに固定するのではなく、モノラルあるいはステレオのいずれにも設定可能としてユーザの利便性を高めることが考えられる。
【０００４】
下記の特許文献１には、複数チャンネルの信号レベルがレベルメータ画像として表示されるとともに、各チャンネルにおけるその他の情報も同時に概観できるオーディオミキシング装置が記載されており、各チャンネルの信号タイプが隣接チャンネルとの信号の関連有りを示すときに、隣接チャンネルとの間で共通の結合形状として表示することが記載されている。
【先行技術文献】
【特許文献】
【０００５】
【特許文献１】特開２０１０−２３２９５０号公報
【発明の概要】
【発明が解決しようとする課題】
【０００６】
トラック数を一定数に限定するとともに、そのうちのいくつかのトラックをモノラルあるいはステレオのいずれにも設定可能とする構成の場合、あるトラックに記録された音声信号を別のトラックに複製（コピー）する場合等の処理において、各トラックのトラックタイプを正確に把握しておく必要がある。しかしながら、どのトラックがモノラルあるいはステレオであるかをユーザが覚えておく構成では負担が増大してしまう。その一方、どのトラックがモノラルでどのトラックがステレオであるかを専用画面等でその都度確認するのも手間となる。通常、ユーザは各トラックの音声信号のレベルを確認するためにレベルメータを視認しているため、レベルメータの表示画面において、各トラックのトラックタイプが一目で把握できれば都合がよい。
【０００７】
本発明の目的は、複数のトラックの少なくともいずれかのトラックをモノラルあるいはステレオのいずれかに設定可能なマルチトラックレコーダにおいて、レベルメータの表示画面においてトラックタイプを容易に視認できるようにすることにある。
【課題を解決するための手段】
【０００８】
本発明は、複数のトラックに音声信号を記録するマルチトラックレコーダであって、複数のトラックの少なくともいずれかのトラックを、モノラルとステレオのいずれかのトラックタイプに設定可能な設定手段と、前記設定手段で設定されたトラックタイプを記憶する記憶手段と、複数のトラックの各トラックを特定するシンボルと、各トラックの音声信号レベルを表示する表示手段と、前記記憶手段に記憶された前記トラックタイプに応じ、前記表示手段に表示されるシンボルと音声信号レベルの表示形態をモノラルとステレオで変化させる制御手段とを備えることを特徴とする。
【０００９】
本発明の１つの実施形態では、前記制御手段は、トラックタイプがステレオのトラックにおいて、前記音声信号レベルを２本表示するとともに、前記シンボルとして前記２本の音声信号レベルに共通するシンボルを表示することを特徴とする。
【００１０】
また、本発明の他の実施形態では、前記制御手段は、トラックタイプがモノラルのトラックにおいて、前記シンボルの幅をｄｍとするとともに前記音声信号レベルを１本表示し、トラックタイプがステレオのトラックにおいて、前記シンボルの幅をｄｓ（但し、ｄｍ＜ｄｓ）とするとともに前記音声信号レベルを２本表示することを特徴とする。  
【発明の効果】
【００１１】
本発明によれば、複数のトラックの少なくともいずれかのトラックをモノラルあるいはステレオのいずれかに設定した場合に、レベルメータの表示画面を視認することでトラックタイプを容易に視認することができる。従って、ユーザは設定したトラックタイプを記憶しておく、あるいはトラックタイプを表示させる専用画面に切り替える等の手間が省ける。また、トラックタイプがモノラルの場合には音声信号レベルが１本、トラックタイプがステレオの場合には音声信号が２本表示されることで、ユーザは直感的にトラックタイプを把握できる。
【図面の簡単な説明】
【００１２】
【図１】実施形態におけるマルチトラックレコーダの構成図である。
【図２】実施形態におけるマルチトラックレコーダの平面図である。
【図３】実施形態におけるマルチトラックレコーダの正面図である。
【図４】実施形態におけるマルチトラックレコーダの背面図である。
【図５】トラックタイプの設定画面を示す説明図である。
【図６】レベルメータの表示画面を示す説明図である。
【図７】レベルメータの表示画面を示す説明図である。
【発明を実施するための形態】
【００１３】
以下、図面に基づき本発明の実施形態について説明する。
【００１４】
図１に、本実施形態におけるマルチトラックレコーダ１の構成ブロック図を示す。音声信号入力回路１０は、複数の入力ポートを備え、複数の音源（ソース）からの音声信号を入力する。複数の音声信号を例示すると、ギター、ボーカル、ドラム等である。本実施形態では、音声信号入力回路１０は、２個の内蔵マイク及び２個の入力ポートを備え、音声信号を入力する。内蔵マイクと入力ポートは相互に切替可能である。音声信号入力回路１０から入力された音声信号は、バス１６を介してＤＳＰ（デジタルシグナルプロセッサ）１４に供給される。
【００１５】
ＤＳＰ１４は、ＣＰＵ３２の制御の下で、音声信号入力回路１０から供給された複数チャンネルの音声信号に対して、各種のデジタル処理、例えばエフェクト処理やイコライジング処理、ミキシング処理を施し、バス１８を介してレコーダ３４に記録する。レコーダ３４の記録媒体は、ＣＤ−Ｒ／ＲＷ、ＤＶＤ−Ｒ／ＲＷ等の光ディスクやハードディスク、フラッシュメモリ媒体等である。ＤＳＰ１４の処理には、操作子２０の操作に応じて各音声信号のパン（ＰＡＮ）や音量レベルを調整する処理も含まれる。
【００１６】
操作子２０は、マルチトラックレコーダ１の操作面に設けられる。操作子２０は、各種のキースイッチや選択ボタン、メニューボタン、決定ボタン、パン（ＰＡＮ）つまみ、レベルつまみ等から構成される。ユーザは、操作子２０を操作することで、各音声信号を、複数トラックの少なくとも１つのトラックに割り当てる。操作子２０の操作状態は検出回路２２で検出される。検出回路２２は、バス１８を介して操作子２０の操作状態検出信号をＣＰＵ３２に供給する。
【００１７】
ＣＰＵ３２は、マルチトラックレコーダの全体を統括制御する。ＣＰＵ３２は、フラッシュＲＯＭ２８に記憶されたプログラムに従い、ワーキングメモリとしてのＲＡＭ３０を用いて各種処理を実行する。具体的には、検出回路２２からの操作状態検出信号に基づいて、複数チャンネルの各音声信号を複数トラックの少なくとのいずれかのトラックに割り当てる。例えば、トラックがトラック１〜トラック４まで存在する場合に、チャンネルＡをトラック１に割り当て、チャンネルＢをトラック２に割り当て、チャンネルＣをトラック４に割り当てる等である。本実施形態において、このような各チャンネルをトラックに割り当てた結果としての、各チャンネルと各トラックとの対応関係を「アサイン情報」と称する。また、ＣＰＵ３２は、各種の情報を表示回路２６に供給する。表示回路２６は、各種情報を表示部２４に表示する。
【００１８】
ＣＰＵ３２は、ユーザによる操作子２０の操作に応じて各種メニュー画面や設定画面を表示すべく表示回路２６に指令し、表示回路２６は、ＣＰＵ３２からの情報に応じてメニュー画面や設定画面を表示部２４に表示する。メニュー画面には、トラック１〜トラック４のそれぞれのトラックを、モノラルとするかステレオにするかのメニュー画面が含まれる。すなわち、本実施形態では、トラック１〜トラック４の少なくともいずれかは、モノラルにするかステレオにするかを選択可能に構成されており、ユーザは所望のトラックをモノラル、ステレオのいずれかに設定する。本実施形態におけるマルチトラックレコーダは、トラック１及びトラック２はモノラルに固定され、トラック３及びトラック４がモノラルあるいはステレオのいずれかに設定可能であるとする。設定画面には、あるトラックに記録された音声信号を別のトラックに複製する（クローンあるいはコピー）設定画面が含まれる。ユーザは、設定画面において操作子２０を操作することで複製元のトラック及び複製先のトラックを選択する。
【００１９】
また、ＣＰＵ３２は、各トラック毎に割り当てられた音声信号のレベルを棒グラフ形式（レベルメータ）で表示すべく表示回路２６に指令し、表示回路２６は、ＣＰＵ３２からの情報に応じてレベルメータ画像を表示部２４に表示する。
【００２０】
さらに、ＣＰＵ３２は、検出回路２２からの操作状態検出信号に応じ、レコーダ３４に記録された音声信号を読み出してＤＳＰ１４に供給し、ＤＳＰ１４はバス及び音声信号出力回路１２を介して音声信号を外部に出力する。音声出力回路１２は、アナログ出力ポートやデジタル出力ポート等の各種出力ポートを有する。
【００２１】
図２に、本実施形態におけるマルチトラックレコーダ１の平面図を示す。また、図３及び図４に、それぞれマルチトラックレコーダの正面図及び背面図を示す。
【００２２】
マルチトラックレコーダ１の操作面には、各種操作子２０と、表示部２４が設けられる。操作子２０として、インプットセッティングキー２０ａ、アサインキー２０ｂ、入力チャンネル用レベルつまみ２０ｃ、マスターレベルつまみ２０ｄ、パン（ＰＡＮ）つまみ２０ｅ、レベルつまみ２０ｆ、録音ファンクションキー２０ｇ、ホームキー２０ｈ、メニューキー２０ｉ、データホイール２０ｊ、停止キー２０ｋ、再生キー２０ｍ、録音キー２０ｎが設けられる。
【００２３】
インプットセッティングキー２０ａは、入力ソースを選択するためのキーであり、ユーザはこのキーを操作することで入力ソースを内蔵マイクとするか、あるいは入力ポートとするかを切り替える。
【００２４】
アサインキー２０ｂは、トラック１〜トラック４の各トラックに入力音声信号をアサインするためのキーであり、ユーザはこのキーを操作することで各トラックに音声信号を割り当てて録音する。
【００２５】
入力チャンネル用レベルつまみ２０ｃは、各入力ソースのレベルを調整するためのつまみであり、ユーザはこのつまみを操作することで各入力ソースのレベルを調整する。例えば、入力ソースを内蔵マイクに設定した場合、このつまみを用いて内蔵マイクから入力される音声信号のレベルを調整する。
【００２６】
マスターレベルつまみ２０ｄは、ステレオ出力信号のモニタレベルを調整するためのつまみである。
【００２７】
パン（ＰＡＮ）つまみ２０ｅは、トラック１〜トラック４の各トラックに設けられ、各トラックの音声信号のステレオミックスにおける定位（ＰＡＮ）を調整するつまみである。
【００２８】
レベルつまみ２０ｆは、トラック１〜トラック４の各トラックに設けられ、各トラックの音声信号のレベルを調整する。
【００２９】
録音ファンクションキー２０ｇは、トラック１〜トラック４の各トラックに設けられ、ユーザはこのキーを操作することで該当トラックが録音待機状態に移行する。なお、録音待機状態において、再生キー２０ｍと録音キー２０ｎを操作することで、録音待機状態のトラックに音声信号が記録される。
【００３０】
ホームキー２０ｈは、表示部２４にホーム画面を表示するためのキーである。ホーム画面は、マルチトラックレコーダ１の基本画面であり、マルチトラックレコーダ１の電源をオンした直後に表示される画面である。他の画面を表示中にホームキー２０ｈを操作すると、表示部２４にホーム画面が表示される。ホーム画面には、レコーダモータや電源状態、レコーダのトランスポート状態、レコーダのタイムカウンタ、トラック１〜トラック４の状態やレベルメータ、ステレオ出力のレベルメータ等が表示される。
【００３１】
メニューキー２０ｉは、表示部２４にメニュー画面を表示するためのキーである。メニュー画面には、インフォメーション、トラック編集、データバックアップ、チューナ等が含まれる。トラック編集には、クローントラック、クリーンアウト、サイレンス、カット、オープン等が含まれる。クローントラックは、トラックを複製するメニューであり、クリーンアウトはトラックを削除するメニューであり、サイレンスは部分的に消去するメニューであり、カットは部分的に削除するメニューであり、オープンは無音を挿入するメニューである。
【００３２】
データホイール２０ｊは、メニュー操作において、各種パラメータの値を変化させる、あるいは項目を選択するためのホイールである。
【００３３】
一方、図３の正面図に示すように、マルチトラックレコーダ１の正面には、左右に内蔵マイク３６，３８が設けられる。通常、内蔵マイク３６，３８は、ステレオ録音の際の左右のマイク、すなわち内蔵マイク３６をＬチャンネル用、内蔵マイク３８をＲチャンネル用として用いられるが、これに限定されるわけではなく、内蔵マイク３６あるいは内蔵マイク３８のいずれかのみを用いる、あるいは内蔵マイク３６をＲチャンネル用、内蔵マイク３８をＬチャンネル用に用いてもよい。内蔵マイク３６，３８から入力された音声信号のレベルは、入力チャンネル用レベルつまみ２０ｃで調整される。
【００３４】
また、図４の背面図に示すように、マルチトラックレコーダ１の背面には、入力ポート４０，４２が設けられる。入力ポート４０，４２から入力された音声信号のレベルも、同様に入力チャンネル用レベルつまみ２０ｃで調整される。
【００３５】
ユーザは、これらの操作子２０を用いて、所望のチャンネル及びトラックを選択し、音声信号を所望のトラックに割り当てることができる。例えば、チャンネルＡとして入力ポート４０を選択してギター音声信号を入力し、チャンネルＢとして入力ポート４２を選択してドラム音声信号を入力し、アサインキー２０ｂを操作して
チャンネルＡ（ギター音声信号）−トラック１
チャンネルＢ（ドラム）−トラック２
等とアサインする。アサイン情報は、ＲＡＭ３０に記憶される。また、ユーザは、これらの操作子２０を用いて、トラック３及びトラック４に関して、モノラルとするかステレオにするかを切り替えて設定する。例えば、
トラック３−ステレオ
トラック４−モノラル
等である。具体的には、トラック３及びトラック４は、それぞれ２つのチャンネルから構成され、モノラルに設定された場合には２つのチャンネルのいずれか一方のみの有効とし、ステレオに設定された場合には２つのチャンネルのいずれも有効としてＬチャンネル及びＲチャンネルとする。従って、トラック３をステレオに設定した場合、トラック３にはＬチャンネル用音声信号とＲチャンネル用音声信号が記録されることになる。
【００３６】
次に、本実施形態における、トラック３及びトラック４のモノラル／ステレオの設定と、レベルメータ画面について具体的に説明する。
【００３７】
図５に、ユーザがメニューキー２０ｉとデータホイール２０ｊを操作して、トラックタイプを選択した場合に表示部２４に表示される画面例を示す。ＣＰＵ３２は、メニューキー２０ｉとデータホイール２０ｊの操作に応じ、トラック３とトラック４のタイプ、すなわちモノラルとするかステレオとするかの設定画面を表示部２４に表示する。画面には、トラック３、トラック４それぞれにおいて、モノラルとステレオの選択肢が表示されており、ユーザはデータホイール２０ｊを操作していずれかを選択する。図５では、ユーザがトラック３をステレオ、トラック４をモノラルに設定した場合を示す。トラック３及びトラック４のタイプ情報は、ＲＡＭ３０に記憶される。なお、トラック１及びトラック２は、モノラルで固定であるため、そのタイプ情報をＲＡＭ３０に記憶しておく必要はないが、トラック１〜トラック４の全てのタイプ情報をまとめてテーブルとしてＲＡＭ３０に記憶してもよい。モノラルの識別子をＭ、ステレオの識別子をＳとすると、トラック３及びトラック４をいずれもステレオに設定する場合、
トラック１：Ｍ
トラック２：Ｍ
トラック３：Ｓ
トラック４：Ｓ
等である。
【００３８】
ＣＰＵ３２は、表示部２４にホーム画面を表示し、このホーム画面においてレベルメータを表示するが、各トラックのレベルメータを表示する際に、ＲＡＭ３０に記憶されたトラック１〜トラック４のトラックタイプを参照し、トラックタイプに応じた表示形態でレベルメータを表示する。
【００３９】
図６に、ＣＰＵ３２がＲＡＭ３０にアクセスし、トラックタイプに応じて表示部２４に表示するレベルメータの一例を示す。トラック１及びトラック２がモノラルで、トラック３及びトラック４がステレオに設定された場合のレベルメータである。
【００４０】
表示部２４には、レコーダのトランスポート状態（再生／停止／録音の各状態であり、図では再生状態）を示す表示とともに、タイムカウンタ２４ａ、及び入力チャンネルと各トラック１〜トラック４とステレオ出力のレベルメータ２４ｂが表示される。
【００４１】
レベルメータ２４ｂには、トラック１〜トラック４毎に音声信号レベルが棒グラフ形式で表示されるが、本実施形態では、ＣＰＵ３２は、トラック１〜トラック４毎のレベルメータを表示する際に、トラックタイプに応じてその表示形態を変化させる。具体的には、第１に、トラック１〜トラック４をそれぞれ特定するためのシンボル、例えばトラック番号の表示のサイズを、そのトラックのトラックタイプに応じて変化させる。第２に、トラック１〜トラック４毎の音声信号レベルの数を、そのトラックのトラックタイプに応じて変化させる。
【００４２】
トラック番号の表示サイズに関しては、モノラルトラックであるトラック１の番号表示２４ｔ１及びトラック２の番号表示２４ｔ２の幅をｄｍ、ステレオトラックであるトラック３の番号表示２４ｔ３及びトラック４の番号表示２４ｔ４の幅をｄｓとすると、ｄｍ＜ｄｓとなるように、つまり、ステレオトラックの番号表示の幅をモノラルトラックの番号表示の幅よりも相対的に大きくなるように表示する。なお、ステレオトラックの番号表示の幅ｄｓは、ｄｍ＜ｄｓ≦２ｄｍ、すなわち、モノラルトラックの番号表示幅よりも大きく、モノラルトラックの番号表示幅の２倍以下に設定すると、視覚的なバランスがよくなり、好適である。
【００４３】
音声信号レベルに関しては、モノラルトラックであるトラック１のレベル表示２４ｂ１及びトラック２のレベル表示２４ｂ２はそれぞれ１本の棒グラフであるが、ステレオトラックであるトラック３のレベル表示２４ｂ３及びトラック４のレベル表示２４ｂ４はそれぞれ２本の棒グラフから構成される。なお、トラック３及びトラック４の棒グラフの幅も、本数が２本となっていることに伴ってトラック１あるいはトラック２の幅よりも相対的に小さくなっている。
【００４４】
このように、モノラルトラックとステレオトラックで、トラック番号表示の幅が異なり、かつ、レベルを示す棒グラフの数も異なるため、ユーザは、このようなレベルメータを視認することで、トラック１〜トラック４のそれぞれがモノラルであるかステレオであるかを容易に識別できる。ユーザは、まずトラックの番号表示２４ｔ１〜２４ｔ４を視認してその幅を確認し、相対的に幅が小さいトラックはモノラルであり、相対的に幅が大きいトラックはステレオトラックであると識別できる。また、トラック１〜トラック４のレベルを示す棒グラフを視認してその数を確認し、トラック当たり１本であればモノラル、トラック当たり２本であればステレオであると識別できる。棒グラフが表示されていなければ番号表示の幅のみで識別でき、棒グラフが表示されていれば棒グラフのみ、あるいは番号表示と棒グラフを用いて識別できる。従って、仮にユーザがトラック１〜トラック４のトラックタイプを失念したとしても、別途、専用画面を表示させる必要がなく、図６のレベルメータを視認するだけで、トラック１及びトラック２はモノラルであり、トラック３及びトラック４はステレオであると容易に識別できる。
【００４５】
ステレオトラックであるトラック３及びトラック４は、それぞれ２本の棒グラフが表示されているが、これらはそれぞれトラック３及びトラック４のＬチャンネルとＲチャンネルの音声信号レベルを表示するものである。この意味で、ステレオトラックのトラック番号表示２４ｔ３，２４ｔ４は、ステレオを構成する２つのチャンネルであるＬチャンネルとＲチャンネルの番号表示をまとめて１つの番号表示としたものといえる。つまり、通常であれば、チャンネル毎にそのチャンネルを特定するためのシンボルが表示されるが、本実施形態では、ステレオトラックに関しては、複数のチャンネルをまとめて１つの共通シンボルを表示するといえる。
【００４６】
図７に、ＣＰＵ３２が表示部２４に表示するレベルメータの他の例を示す。トラック１及びトラック２がモノラルで、トラック３及びトラック４もモノラルに設定された場合のレベルメータである。
【００４７】
トラック１〜トラック４の全てがモノラルであるため、トラック１〜トラック４の番号表示２４ｔ１〜２４ｔ４の幅は全て相対的に狭い幅で同一である。また、トラック１〜トラック４のレベル表示２４ｂ１〜２４ｂ４の棒グラフもそれぞれ全て１本のみである。従って、仮にユーザがトラック１〜トラック４のトラックタイプを失念したとしても、図７のレベルメータを視認するだけで、トラック１〜トラック４は全てモノラルであると容易に識別できる。
【００４８】
図６と図７を比較すれば、トラックタイプがモノラルとステレオの場合とでどのようにレベルメータの表示形態が変化するか明らかとなろう。モノラルトラックの場合には「Ｍ」の文字、ステレオトラックの場合には「Ｓ」の文字をそれぞれのトラックに表示することも考えられるが、表示部２４の表示エリアが限られている場合には視認が困難である。本実施形態のように、シンボルのサイズや棒グラフの本数を変化させることが好適である。
【００４９】
なお、図示していないが、トラック３をステレオとし、トラック４をモノラルに設定した場合には、図６の画面例において、トラック４の番号表示２４ｔ４の幅がトラック１の番号表示２４ｔ１の幅ｄｍと同一となり、かつ、レベル表示２４ｂ４も１本のみとなることは容易に理解されよう。
【００５０】
以上のように、本実施形態では、ステレオトラックのトラック番号表示の幅をモノラルトラックのトラック番号表示の幅と異なるものとし、かつ、レベル表示の棒グラフの本数も異なるものとすることで、ユーザは専用画面に切り替えて確認することなく、単にレベルメータを視認するだけでトラック１〜トラック４のトラックタイプを確実に識別できる。
【００５１】
本実施形態では、トラック１〜トラック４を有するマルチトラックレコーダを例示したが、これに限定されるものではなく、５トラック以上を有するマルチトラックレコーダにも同様に適用できる。
【００５２】
また、本実施形態では、トラック３，４のトラックタイプ、あるいはトラック１〜トラック４の全てのトラックタイプをＲＡＭ３０に記憶しているが、フラッシュＲＯＭ２８等の不揮発性メモリに記憶し、電源をオフした後でもトラックタイプの情報を保持するように構成してもよい。
【００５３】
また、本実施形態では、ステレオトラックのトラック番号表示の幅をモノラルトラックのトラック番号表示の幅と異なるものとし、かつ、レベル表示の棒グラフの本数も異なるものとしているが、幅や本数に代え、あるいは幅や本数とともに、表示色を異なるものとしてもよい。例えばモノラルトラックは白、ステレオトラックは青や赤とする等である。具体的には、図６において、トラックの番号表示２４ｔ１〜２４ｔ４の幅を全て同一として番号表示２４ｔ１，２４ｔ２を白、番号表示２４ｔ３，２４ｔ４を青とする等である。
【符号の説明】
【００５４】
１  マルチトラックレコーダ、１０  音声信号入力回路、１２  音声信号出力回路、１４  ＤＳＰ、１６，１８  バス、２０  操作子、２２  検出回路、２４  表示部、２６  表示回路、２８  フラッシュＲＯＭ、３０  ＲＡＭ、３２  ＣＰＵ、３４  レコーダ。
【図１】
2014041680.tif 000003
【図２】
2014041680.tif 000004
【図３】
2014041680.tif 000005
【図４】
2014041680.tif 000006
【図５】
2014041680.tif 000007
【図６】
2014041680.tif 000008
【図７】
2014041680.tif 000009